(57)【要約】      （修正有）【課題】幼児の成長に合せて、背もたれの側方防護体を座部に対してあげることの可能なチャイルドシートの提供。【解決手段】座部と、側方保護体４を有する背もたれと、リフト可能なヘッドレスト５とを備えチャイルドシートにおいて、背もたれの下方に装置８を介してヘッドレストに繋がった補完部材７を設ける。上記装置は、ヘッドレストがリフトすると、背もたれの補完部材を、該リフト方向とは反対方向にシフトさせる。  上記装置は、背もたれを構成する前板と後板１０との間に配設され、また、その中心部１３を中心に回転可能な素子１２を有する。該素子の一端を、ヘッドレストと繋がっている連結具に固定し、他端が背もたれの補完部材と繋がっている連結具に固定する。  ヘッドレストと背もたれの補完部材とには、前板と後板との間をシフトするときのガイドとなるガイド手段１１が設ける。【選択図】図６
2008013168.tif 000002
【特許請求の範囲】
【請求項１】
車載用チャイルドシートであって、
座部（１）と、
上記座部（１）に固定された背もたれ（３）と、
上記背もたれ（３）における上記座部（１）固定側とは反対側に配設され、上記座部（１）からの高さを変えるために、上記背もたれ（３）上で、その位置を上昇及び下降させることができるヘッドレスト（５）とを備えており、
上記背もたれ（３）は、側方保護体（４）を有するとともに、上記座部（１）固定側に補完部材（７）を有しており、
車載用チャイルドシートは、更に、
上記補完部材（７）と上記ヘッドレスト（５）とに繋がっており、且つ、上記ヘッドレスト（５）の上記上昇に合わせて、該上昇方向とは反対の方向に上記背もたれ（３）の上記補完部材（７）を移動させる装置（８）を備えていることを特徴とする車載用チャイルドシート。
【請求項２】
上記装置（８）は、上記背もたれ（３）を構成する前板（９）と後板（１０）との間に配設されており、
上記ヘッドレスト（５）と、上記背もたれ（３）の上記補完部材（７）とは、上記前板（９）と後板（１０）との間での移動をガイドするガイド手段（１１）を有していることを特徴とする請求項１に記載の車載用チャイルドシート。
【請求項３】
上記装置（８）は、その中心部（１３）を中心に回転可能な素子（１２）を有しており、
上記素子（１２）の一端は、ヘッドレスト（５）と繋がっている連結具（１４）に固定されており、他端は、背もたれの補完部材（７）と繋がっている連結具（１５）に固定されていることを特徴とする請求項１または２に記載の車載用チャイルドシート。
【発明の詳細な説明】
【発明の詳細な説明】
【０００１】
〔本発明の目的〕
本発明は、一般的には自動車の後部座席に装着することによって、乗車する幼児の安全を確保する車載用チャイルドシートに関する。
【０００２】
〔背景技術〕
車載用の幼児用シート（以下、単にチャイルドシートと称する）は、座部と、側方を保護する部分を有した背もたれと、同じく側方を保護する部分を有した上げ下げ可能なヘッドレストとを備えている。このようなチャイルドシートは、ある年代の幼児用に設計されており、具体的には、１２ヶ月を超える幼児用に設計されている。
【０００３】
ヘッドレストは、背もたれに対して着脱可能である別体であり、背もたれに対して上方に移動できる構造となっているため、幼児の身長に合わせることができ、幼児の頭部を守ることができる。ところが、背もたれの場合は、据え置き構造であるがゆえに、幼児の成長を考えた際、幼児の側方を充分に保護できるとは言い切れない。なぜなら、背もたれの下方の部分では、側方への幼児の動きを適切に守ることができないからである。側方への幼児の動きとしては、例えば、自動車が予期しない方向に方向転換したときなどが考えられる。
【０００４】
〔本発明の開示〕
本発明は、チャイルドシートに関する上記した問題を解決するためになされたものであり、その目的は、ヘッドレストが上がる（リフトする）と同時に、背もたれにおける側方を保護する部分（以下、側方保護体と称する）が、ヘッドレストと同じく、座部に対して上がる（リフトする）ものを提供することにある。
【０００５】
これを実現するために、本発明では、背もたれの下方に、ヘッドレストと連結している補完部材を備えている。この補完部材とヘッドレストとは、次のような装置によって互いに繋がっている。この装置とは、ヘッドレストがリフトすることによって、背もたれの上記補完部材が下方へシフトし、背もたれの側方保護体が座部に対してより上方へシフトできるように構成された装置である。
【０００６】
上記装置は、背もたれを構成する前板と後板の間に配置されている。また、ヘッドレストと、背もたれの補完部材とは、上記した前板と後板の間をシフトする際のガイドとなるガイド手段を有している。上記装置は、回転可能なように中心部で固定された素子であって、その両端部が、一端部はヘッドレストに、他端部は背もたれの下方の補完部材に連結している素子を備えている。
【０００７】
本発明の他の特徴および利点については、本発明の一実施形態に関する以下の説明において明らかとなる。この実施形態は単に一例であって、本発明の範囲を限定するものではない。
【０００８】
添付図面は以下の通りである。
図１は、従来構成のチャイルドシートを示した図であり、ヘッドレストを下げた状態を示している。
図２は、図１に示した従来構成のチャイルドシートで、ヘッドレストを上げた状態を示している。
図３は、本発明のチャイルドシートの一実施形態を示した側面図であり、ヘッドレストをリフトさせた際に、背もたれの側方保護体が上方位置にシフトした状態を示している。
図４は、本発明のチャイルドシートの一実施形態を示した斜視図であり、バックレストと背もたれとの関係性を明示している。
図５は、図４に示したバックレストと背もたれとの関係性を正面から見たものであり、リフトする前の状態を示している。
図６は、図４に示したバックレストと背もたれとの関係性を正面から見たものであり、図５の状態からリフトした後の状態を示している。
【０００９】
〔本発明を実施するための最良の形態〕
図１に示す従来構成のチャイルドシートAは、肘掛け２を有する座部１と、側方保護体４を有する背もたれ３と、同じく側方保護体６を有するヘッドレスト５とを備えている。上記背もたれ３は、座部１に固定されている。上記ヘッドレスト５は、スライド自在なかたちで上記背もたれ３に固定されており、図２に示すように、ヘッドレスト５の位置を上げることができる。図２に示すチャイルドシートにおいては、幼児が成長した場合に、その頭部は従前通り保護することができる一方で、背もたれの側方保護体４は、下方に位置したままであったため、幼児の側方への動きに対して充分な保護性能を果たすことが困難であった。
【００１０】
そこで、本発明に係るチャイルドシートA´は、このような問題を回避するべく、図３に示すような構成となっている。尚、本発明に係るチャイルドシートA´の構成のうち、従来構成のチャイルドシートAの構成部材と同じ機能をもつ構成部材については、図１及び図２と同じ部材番号を付し、説明を省略する。本発明に係るチャイルドシートA´は、ヘッドレスト５のリフトに合わせて、背もたれの側方保護体４の位置を、上方にシフトさせることができるというものである。
【００１１】
背もたれの側方保護体４の位置を上方にシフトさせるために、背もたれは、その下方に、ヘッドレスト５と繋がっている補完部材７を備えている。補完部材７は、図５及び図６に示す装置８を介して、ヘッドレスト５と繋がっている。装置８によって、ヘッドレストが図３に示す矢印Fの方向へのリフトすると、背もたれの補完部材７が、図３に示す矢印F´の方向（下方）にシフトすることになる。この補完部材７のシフトによって、側方保護体４は、座部１に対して、より上方にシフトする。
【００１２】
背もたれは、１枚の前板９と１枚の後板１０とによって構成されており、上記装置８は、前板９と後板１０との間に配設されている。ヘッドレスト５と、背もたれの補完部材７とは、前板９と後板１０との間をシフトするためのガイドとなるガイド手段１１を有している。
【００１３】
上記装置８は、平板１２によって形成された素子を備えている。平板１２は、その中心部において、上記後板１０に固定された１つのピンに対して、回転可能に固定されている。平板１２は、その両端部において、一端部が、取付具１６を介してヘッドレスト５と繋がっている連結具１４に固定されており、他端部が、取付具１７を介して、背もたれの補完部材７と繋がっている連結具１５に固定されている。なお、本発明は、この装置に限定されるものではなく、ヘッドレスト５と、背もたれの補完部材７とが上記のように動作することができる装置であれば良い。
【００１４】
上記した補完部材７は、１つの平板によって構成されており、その下端部には、カップリング部１８が設けられている。カップリング部１８は、背もたれを座部１に着脱可能なかたちで取り付けるために設けられている。
【００１５】
背もたれの側方保護体４、及び、ヘッドレストの側方保護体６は、共に、幼児の身体の幅に適合させて距離間隔を調節することができる機構を有していても良い。
【図面の簡単な説明】
【００１６】
【図１】従来構成のチャイルドシートを示した図であり、ヘッドレストを下げた状態を示している。
【図２】図１に示した従来構成のチャイルドシートで、ヘッドレストを上げた状態を示している。
【図３】本発明のチャイルドシートの一実施形態を示した側面図であり、ヘッドレストをリフトさせた際に、背もたれの側方保護体が上方位置にシフトした状態を示している。
【図４】本発明のチャイルドシートの一実施形態を示した斜視図であり、バックレストと背もたれとの関係性を明示している。
【図５】図４に示したバックレストと背もたれとの関係性を正面から見たものであり、リフトする前の状態を示している。
【図６】図４に示したバックレストと背もたれとの関係性を正面から見たものであり、図５の状態からリフトした後の状態を示している。
【図１】
2008013168.tif 000003
【図２】
2008013168.tif 000004
【図３】
2008013168.tif 000005
【図４】
2008013168.tif 000006
【図５】
2008013168.tif 000007
【図６】
2008013168.tif 000008